(57)【要約】【目的】球果等果実類の保護に万全の性能を発揮し、かつまた量度に適した果実類の紙製保護体を提供する。【構成】果実類を１個ずつ実質的に面接触状態で受け止めるように、紙材に切り込み１２を入れて複数個の受け片１３に分割するとともに、複数個の受け片１３を成形して凹状の受け部１４となる部分を形成するための上板１１と、凹状の受け部１４を構成する複数個の受け片１３と一体となり、受け片１３とともに果実類を受け支える支え片１５を分割形成する下板２１とから成り、上板１１の受け部１４となる部分の周囲には上面部分１６が設けられている。【選択図】        図４
2004231223.tif 000002
【特許請求の範囲】
【請求項１】
果実類を保護して箱詰めする場合等に使用される紙製の保護体であって、
果実類を１個ずつ実質的に面接触状態で受け止めるように、紙材に切り込みを入れて複数個の受け片に分割するとともに、複数個の受け片を成形して凹状の受け部となる部分を形成するための上板と、凹状の受け部を構成する複数個の受け片と一体となり、受け片とともに果実類を受け支える支え片を分割形成する下板とから成り、上板の受け部となる部分の周囲には上面部分が設けられていることを特徴とする果実類の紙製保護体。
【請求項２】
上板は、複数個の受け片から成る凹状の受け部となる部分
と、受け部となる部分を設けた上面部分と、上面部分の外側に設けられている側枠部分とを有している請求項１記載の果実類の紙製保護体。
【請求項３】
側枠部分は、上面部分に対して上方へ折り曲げられる請求項２記載の果実類の紙製保護体。
【請求項４】
凹状の受け部となる部分が、上板の上面部分に複数個、形成されている請求項１ないし３のいずれかに記載の果実類の紙製保護体。
【請求項５】
下板は、果実類に接触しないようにへこんだ底凹部を有する請求項１記載の果実類の紙製保護体。
【発明の詳細な説明】
【０００１】
【発明の属する技術分野】
本発明は、果実類を保護して箱詰めする場合等に使用される紙製の保護体に関するものである。
【０００２】
【従来の技術】
例えばメロンやりんご或いはなしのような球形果実類を運搬ないし販売等するために、球果に傷を付けないように支える凹部を有する、云わば保護体を用いることは従来から行われているが、保護体は主として発泡樹脂で作られていた。ところがその処分上の問題等から他の材料が模索され、紙が注目されるようになって来た。
【０００３】
しかし従来の紙製保護体は、凹部を型成形した１枚の紙材から成り、凹部の周囲を囲むように側面に脚片を立てて凹部の底を浮かせ、果実類が痛むのを防ぐようになっているだけである。したがって、紙製保護体を箱詰めする際には、詰め込む方向へ突き出ている脚片を箱に詰め込まなければならず、作業性が良くないという問題があった。
【０００４】
また、従来の紙製保護体は紙材を型成形するため、コスト高になり易いとともに、凹部の大小を変更しにくい傾向があり保護性に欠けるという問題があった。このため球果類の保護の万全を期すには他の柔軟な詰め物を用いたり、或いは高級品に対しては化粧布を敷くなどの方法を併用する必要があった。
【０００５】
【発明が解決しようとする課題】
本発明は前記の点に着目してなされたもので、その課題は球果等果実類の保護に万全の性能を発揮し、かつまた量産に適した果実類の紙製保護体を提供することである。また本発明の他の課題は、箱詰め等する際に作業性の良い果実類の紙製保護体を提供することである。
【０００６】
【課題を解決するための手段】
前記の課題を解決するため、本発明に係る果実類の紙製保護体は、果実類を１個ずつ実質的に面接触状態で受け止めるように、紙材に切り込みを入れて複数個の受け片に分割するとともに、複数個の受け片を成形して凹状の受け部となる部分を形成するための上板と、凹状の受け部を構成する複数個の受け片と一体となり、受け片とともに果実類を受け支える支え片を分割形成する下板とから成り、上板の受け部となる部分の周囲には上面部分が設けられているという構成を有している。上面部分とは、凹部を設けている上部の面というほどの意味であり、平坦とか穴がないという形態を示すものではない。
【０００７】
本発明の紙製保護体は、果実類を保護して箱詰め等する場合に使用されるもので、果実類は１個ずつ実質的に面接触状態で受け止める。そのために、紙材に切り込みを入れて複数個の受け片を分割形成するとともに、複数個の受け片を成形して凹状の受け部となる部分を形成する。この凹状の受け部となる部分は少なくとも１箇所、上板の上面部分に設けられる。
【０００８】
複数個の受け片は、例えば放射状の切り込みによって分けられた１片１片を指すと考えて良い（図１参照）。何片に分割するかは任意であり、また各片は必ずしも同形同大でなくても良いが、概して大型の果実類、軟質の果実類は分割片数をより多くする方が良い。１片１片の受け片は、型により凹状に形成され受け部となる。型成形の際に受け片は１片毎に分割されるので、分割された受け片をつなぐために、次の下板が組み合わされる。
【０００９】
その下板には、凹状の受け部を構成する複数個の受け片と一体となり、凹状の受け片とともに果実類を受け支える支え片を分割形成する。下板は、上板の受け片間を連絡するものであるので、果実類を面接触状態で受け止めるように立体的に型によって成形される。型成形前の下板に設けられている切り込みのパターン模様は、受け片に似た放射状のものであるとか（図２）、類似形状のものを適用することができる（図３）。また下板の底に相当する箇所には、果実類が接触しない底凹部を設け、段積みの時、荷扱い中に加わり得る外力に果実類が及ばないようにすることができる。
【００１０】
上板と下板とは便宜上の名称であり、上板に設けられる凹状の受け部の下部に下板を一体化することを示唆しているがそれ以上のものではない。例えば図４の例では、下板は上板の凹部の外面に重なっているので上板と下板の関係は上下であると言えるが、下板を凹部の内面に重ねて一体化すると下板が上板の上に位置することになる。しかし、本発明はどちらの形態も含むものである。
【００１１】
凹状の受け部となる部分を設けている箇所、本発明で上面部分と呼ぶ箇所の上板は、上面部分に例えば放射状に切り込みを入れる部分を有しており、これが、凹状の受け部となる。そして、上板は、さらに上面部分の外側に側枠部分を有するものとすることができる。側枠部分は本発明に係る紙製保護体の最外部に当たる部分であり、紙製保護体に剛性を付与するものでもある。この側枠部分は、上面部分に対して上方へ折り曲げられる。従来のトレーなどと呼ばれる紙製保護体では、凹部の周囲を側片が取り囲む構成であったために箱詰め等の際に引っ掛かったりして作業性を低下させていたのに対して、本発明では逆方向きに側枠部分が設けられているため箱詰め作業等の妨げとなることがない。
【００１２】
凹状の受け部となる部分は、上面部分に少なくとも１個（図１等参照）、若しくは複数個並列して設けられる（図８等参照）。図１の場合は果実類を１個ずつ保護する紙製保護体の例示であり、図８の場合は５個の果実類を保護する紙製保護体の例示である。凹状の受け部となる部分を複数個上板に設ける構成では、切り込みを初めとして凹部となる部分の構成箇所が、上板の外部に接近することとなる（図５、図８等参照）。従って長方形状等多角形の角に凹部が設定される場合には特に凹部となる部分の構成箇所が破断し易くなるので、そのような箇所に突片部を設けて構造を強化する。
【００１３】
複数個用のものであるにせよ、１個用のものであるにせよ、箱詰めされた状態から紙製保護体及びそれに保護されている果実類を取り出すことは困難なことがある。そこで本発明では、側枠部分に設けた突片部を、紙製保護体の箱内等からの取り出し用部分として利用できるように企図している。側枠部分を上方へ折り曲げておくという構成は、この目的とも一致している。
【００１４】
なお、突片部は、上面部分の角部に相当する位置の側枠部分に、角部を面取りするように斜めに設定した折り曲げ線を介して、折り曲げ線の外方に突出させて設けることが望ましい。突片部と側枠部分とは折り曲げ線を介して連続した構成とすることで、当該部分の強度は、単なる舌状のものよりも増強される。
【００１５】
【発明の実施の形態】
以下図示の実施形態を図面を参照して説明する。図１は、１個の果実類を保護する紙製保護体１０の上板１１の例示であり、図２に示した下板２１と組み合わされる。上板１１は紙材製のブランクであり、放射状に入れられた切り込み１２により複数個の受け片１３に分割された部分を有する。切り込み１２は所定径の円の半径方向に入れられ、外方の端部を連絡する円形の折り曲げ部１５と、その内側に位置するやや小径の円形の折り曲げ部１５′と交叉している。
【００１６】
凹状の受け部１４となる部分は上面部分１６に対し凹んでおり、上面部分１６の外側には、側枠部分１７が全周を取り囲んで設けられている。そして上面部分１６の角部に相当する位置の側枠部分には斜めに設定した折り曲げ線１８を介して外方に突出させた突片部１９が設けられている。この突片部１９は、側枠部分１７とも折り曲げ線２０を介して連続している。なお図中、各折り曲げ線は、山折り線を破線で、谷折り線を２点鎖線で示している。
【００１７】
下板２１は同様に紙材製のブランクであり、切り込み線２２で複数個に分割された支え片２３が、中央の底部２４の外周に放射状に設けられている。下板２１は上板１１との組み合わせ迄の間、ブランク台紙２５にブリッジ部２６によってつながれた状態にあると、組立装置４０で作業性が良い。下板２１の中央の底部２４は底凹部２７を形成する２重の折り曲げ線２８、２８′によって支え片２３と区別され、所望の球面形状及び底部形状に型形成される。
【００１８】
下板２１は、図２に示した放射状のもののほか、図３に示したように様々な形態を持つものとすることができる。図３（ａ）の例は、均等な４分割状の支え片２９から成るもの、図３（ｂ）の例は不均等な４分割状の支え片３０から成るもので、広い方が狭い方の下位に乗るようにすると、凹部上から見たときに各片が４等分されているように見える。図３（ｃ）の例は隙間を設けて配置された４分割状の支え片３１から成るもので各片３１間が離れていることにより、後述する組立装置４０で押し型４３を必要としない。これらは底凹部２７を形成しないため１本の折り曲げ線３２、３３、３４によって区画された底部３５、３６、３７を有する。
【００１９】
このように構成された例１の紙製保護体１０の場合には、図５、図６、図７に示した工程を経て組み立てられる。組立装置４０は、例えば上下一対の型４１、４２から成り、両型４１、４２間に、例示の場合には上板１１を下に下板２１を上にして夫々センター孔４６、４７によりセットし、装置４０を作動させる（図６）。上型４１には、下板２１の折り曲げ部の内先に進行させる必要のある部分を加圧する押し型４３を必要数用意し、必要な加熱等の成形条件の下で型４１、４２を閉じ、型成形を行うことになる（図７）。
【００２０】
組み立てられた果実類の紙製保護体１０は図４に示されているような構造となる。上板１１と下板２１とは受け片１３と支え片２３とが接着して一体となり、下板２１のブランク台紙２５は上板１１の上面部分１６の下面に接着して一体となり、剛性を高めるとともに、変形に対抗する構造強度を具備する。この紙製保護体は、例えばメロンのような比較的大型かつ軟質か傷付きやすい果実類に適している。
【００２１】
このような果実類の紙製保護体１０は、１種類のサイズの凹状の受け部１４しか有していなくても、一定の範囲であれば直径が異なっているサイズの違いの果実類４５−１、２、３を面接触状態で受け止めることができる。即ち、中間サイズの果実類４５−２が適合サイズと仮定した場合、大型サイズの果実類４５−１は２重の折り曲げ部１５、１５′における凸曲面から成る断面形部分４４によって大径に押し広げられ、その反力で底部２４は上昇して引き上げられるようになり、小型サイズの果実類４５−３は底部２４に荷重がかかり、その圧力で上記断面形部分４４までの範囲がすぼめられるようになり、従って、果実類は面接触状態で凹状の受け部１４に受け止められるようになる。
【００２２】
図８以下は複数個の受け部５４が上面部分５６に形成されている上板５１を用いる果実類の紙製保護体の例を示す。図８〜図１０の例２では、上板５１に受け部５４として設けられている放射状の切り込み５２、受け片５３、２重の折り曲げ部５５、５５′等は前記例１のものと同様の構成であり、長方形の四隅に配置されている各受け部５４は一部が側枠部分に掛かっている状態に設定することができるが、これは側枠部分５７及び曲げ折り線５８を介して外方に突出させた突片部５９により、十分な強度が確保されていることからもたらされる保護効果であり、より高密度の箱詰めを可能にする。突片部５９は左右においても２重の折り曲げ線６０により側枠部分５７に連結している。
【００２３】
下板６１についてはやはり紙材製のブランク台紙６５に、切り込み線６２で分割された複数個の支え片６３が中央の底部６４の外周に設けられおり、図２のものと同様の構成を有する。６６はブリッジ部、６８、６８′は２重の折り曲げ線であり、底部６４に底凹部６７を形成する（図１０参照）。下板６１の支え片６３の形態として、図３に示したようなもの或いは図示していないが同様に分割された形態を適用できることは、上板５１の受け片５３の形態が放射状のものに限らないのと同様である。
【００２４】
このような構成を有する上板５１、下板６１は、図５〜７に示したものと基本的には同様の、しかし複数個の凹部の形成が可能な組立装置を用い、かつ同様の工程を経て組み立てられる。組み立てられた複数個の受け部５４を有する果実類の紙製保護体５０は図１０に示した形態を呈する。ブランク台紙６５は上板５１の上面部分５６の下面に接着して一体化し、剛性等を高める点、例１の場合と同様である。
【００２５】
図１１、図１２に示す例３では、例２よりもさらに多数の果実類を収めることができる紙製保護体７０を示している。例３のものも、上板７１と下板７２とから成り、上板７１の上面部分７３に受け部７４となる部分を設けているものであるので、一々詳細な説明を繰り返すことはしない。従って、細部は例１と例２と同じであると考えて良い。
【００２６】
しかし、例３については凹状の受け部７４の配置が、例２の場合と比較して対称性を欠いており、受け部７４が隅に位置するものと位置しないものとが混在している点で差がある。このようなものについても本発明の紙製保護体７０では充分な強度が得られ、果実類を確実に保護することが可能であり、また上に折り曲げられる側枠部分７５によって箱詰め作業が容易となる。さらに箱詰めされている紙製保護体７０を取り出す場合にも、突片部７６を引っ張って引き上げることが可能であるから作業性が大変良好である。例２、例３の紙製保護体はりんごやなしのような中型かつ比較的硬質の果実類にも適する。
【００２７】
【発明の効果】
本発明は以上の如く構成されかつ作用するものであるから、球果等果実類の保護に万全の性能を発揮し、かつまた紙材をプレス裁断、型成形等の加工を経て組み立てることができるので生産性が良いとともに、箱詰め作業の場合及び箱詰めされたものを取り出す場合のいずれについても非常に良好な作業性を受けることができる。
【図面の簡単な説明】
【図１】本発明に係る果実類の紙製保護体の例１を示す上板の展開上面図。
【図２】同上の下板を示す展開上面図。
【図３】下板の形態例（ａ）、（ｂ）、（ｃ）を示す展開上面図。
【図４】（ａ）例１の紙製保護体の縦断面図。
（ｂ）同じく作用説明のための縦断面図。
【図５】本発明に適用する組立装置の型開き時の説明図。
【図６】組立装置による型成形過程の説明図。
【図７】組立装置による型成形時の説明図。
【図８】本発明に係る果実類の紙製保護体の例２に関する上板の展開上面図。
【図９】同上の下板を示す展開上面図。
【図１０】同じく例２の紙製保護体の斜視図。
【図１１】本発明の例３に関する上板の展開上面図。
【図１２】同上の下板を示す展開上面図。
【符号の説明】
１０、５０、７０  紙製保護体
１１、５１、７１  上板
２１、６１、７２  下板
１２、５２  切り込み
１３、５３  受け片
１４、５４、７４  凹部
１５、１５′、５５、５５′  二重の折り曲げ線
１６、５６、７３  上面部分
１７  側枠部分
１８  折り曲げ線
１１、５９    折り曲げ線
２０、６０  折り曲げ線
２４、６４  座部
２５、６５  ブランク台紙
２６、６６  ブリッジ部
【図１】
2004231223.tif 000003
【図２】
2004231223.tif 000004
【図３】
2004231223.tif 000005
【図４】
2004231223.tif 000006
【図５】
2004231223.tif 000007
【図６】
2004231223.tif 000008
【図７】
2004231223.tif 000009
【図８】
2004231223.tif 000010
【図９】
2004231223.tif 000011
【図１０】
2004231223.tif 000012
【図１１】
2004231223.tif 000013
【図１２】
2004231223.tif 000014